(57)【要約】【課題】リール装着部本体とグリップ領域との境界部の撓みを防止しつつ、このグリップ領域をも釣竿全体の撓みバランスに貢献させる。【解決手段】繊維強化樹脂製竿杆１０を挿通させて固定した管状のリール装着部本体１２を有すると共に１対のフードＦ１，Ｆ２を設けたリール装着部を有し、竿杆はリール装着部本体の後側に隣接したグリップ領域Ｇにまで延伸している釣竿であって、前記リール装着部本体の後端近傍位置の竿杆の撓み剛性が、その周辺位置の竿杆の撓み剛性よりも大きいと共に、リール装着部直前部の竿杆撓み剛性よりも大きく、しかも、前記後端近傍を除いた範囲のグリップ領域において、竿杆の撓み剛性は後方に向かって低減しているよう構成する。【選択図】図１
2007089468.tif 000002
【特許請求の範囲】
【請求項１】
繊維強化樹脂製竿杆を挿通させて固定した管状のリール装着部本体を有すると共に１対のフードを設けたリール装着部を有し、竿杆はリール装着部本体の後側に隣接したグリップ領域にまで延伸している釣竿であって、
前記リール装着部本体の後端近傍位置の竿杆の撓み剛性が、その周辺位置の竿杆の撓み剛性よりも大きいと共に、リール装着部直前部の竿杆撓み剛性よりも大きく、しかも、前記後端近傍を除いた範囲のグリップ領域において、竿杆の撓み剛性は後方に向かって低減している
ことを特徴とする釣竿。
【請求項２】
前記管状のリール装着部本体の後端部は、外径が段差状に縮径し、後方に向かって延伸した縮径部を有している請求項１記載の釣竿。
【請求項３】
前記管状のリール装着部本体の後端面がその中心部ほど前方に位置するように傾斜した円錐状に形成され、リール装着部本体の後端部の肉厚が後方に向かって漸減している請求項１記載の釣竿。
【請求項４】
前記管状のリール装着部本体の後端部に、該リール装着部本体よりも軟質であって、前記グリップ領域のグリップ部材よりも硬質な中間部材を介在させ、リール装着部本体の後端部近くの撓み剛性変化を緩和させた請求項１記載の釣竿。
【請求項５】
前記管状のリール装着部本体の後端面と、前記グリップ領域のグリップ部材前端面との境界外周部に、リール装着部本体とグリップ部材とに亘って環状の金属製接続部材を設けた請求項１記載の釣竿。
【請求項６】
前記竿杆が管状体の竿管であって、前記管状のリール装着部本体の後端付近の竿管内部に補強部材が配設されており、該補強部材はその前端位置がリール装着部本体に位置し、後端位置がグリップ領域に位置している請求項１記載の釣竿。
【発明の詳細な説明】
【技術分野】
【０００１】
本発明はリール装着部を有する釣竿に関する。
【背景技術】
【０００２】
竿杆はリール装着部よりも前方領域は撓み領域であるため先細形状であって、撓み剛性が漸次小さくなるように形成している。一方、リール装着部領域とその後方領域（グリップ領域）は、所謂、ハンドル領域であり、撓みは予定しておらず、概ね一定の撓み剛性を有している。このため、ルアー竿のようにリール装着部本体が厚肉の管状のものである場合は、このリール装着部本体の剛性が非常に大きい。本願と直接の繋がりはないが、下記特許文献１にはルアー竿のハンドル領域における竿杆の捩り剛性向上の強化繊維配設の工夫が開示されている。
【特許文献１】特開２００５−１３０９０号公報
【発明の開示】
【発明が解決しようとする課題】
【０００３】
このため、リール装着部本体に比べて、リール装着部本体の後端、即ち、グリップ領域の前端部は相対的に撓み剛性が小さく、急変化する部位である。従って、引きの弱い獲物の場合の撓みは無視できるが、強い引きの獲物の場合は、本来撓みを予定していないが、このリール装着部本体の後端においてもある程度の撓みを生じ、リール装着部本体の後端部付近とグリップ領域前端部付近とを把持するパーミング時に、フッキング操作やランディング操作のように魚の動きに合わせて竿操作を行うと、その力が獲物に対して直ぐに伝達されず、遅れを生じ、獲物をばらしたりする。即ち、竿の操作性がよくない。また、撓みをリール装着部の前方領域だけにするよりも、リール装着部の後方側のグリップ領域をも釣竿全体としての撓みバランスに貢献させればより扱い易い釣竿となる。
依って解決しようとする課題は、リール装着部本体とグリップ領域との境界部の撓みを防止しつつ、このグリップ領域をも釣竿全体の撓みバランスに貢献させることである。
【課題を解決するための手段】
【０００４】
上記目的に鑑みて本発明は第１の発明において、繊維強化樹脂製竿杆を挿通させて固定した管状のリール装着部本体を有すると共に１対のフードを設けたリール装着部を有し、竿杆はリール装着部本体の後側に隣接したグリップ領域にまで延伸している釣竿であって、前記リール装着部本体の後端近傍位置の竿杆の撓み剛性が、その周辺位置の竿杆の撓み剛性よりも大きいと共に、リール装着部直前部の竿杆撓み剛性よりも大きく、しかも、前記後端近傍を除いた範囲のグリップ領域において、竿杆の撓み剛性は後方に向かって低減していることを特徴とする釣竿を提供する。
後端近傍を除いた範囲という条件は、リール装着部本体の後端近傍という狭い範囲では、撓み剛性が後方に向かって漸減しているか、前方に向かって漸減しているか、一定かの何れかということは問題ではなく、補強していることで足りるためである。
【０００５】
第２の発明において、第１の発明の管状のリール装着部本体の後端部は、外径が段差状に縮径し、後方に向かって延伸した縮径部を有しているよう構成する。
第３の発明において、第１の発明の管状のリール装着部本体の後端面がその中心部ほど前方に位置するように傾斜した円錐状に形成され、リール装着部本体の後端部の肉厚が後方に向かって漸減しているよう構成する。
【０００６】
第４の発明において、第１の発明の管状のリール装着部本体の後端部に、該リール装着部本体よりも軟質であって、前記グリップ領域のグリップ部材よりも硬質な中間部材を介在させ、リール装着部本体の後端部近くの撓み剛性変化を緩和させるよう構成する。
第５の発明において、第１の発明の管状のリール装着部本体の後端面と、前記グリップ領域のグリップ部材前端面との境界外周部に、リール装着部本体とグリップ部材とに亘って環状の金属製接続部材を設けるよう構成する。
【０００７】
第６の発明において、第１の発明の竿杆が管状体の竿管であって、前記管状のリール装着部本体の後端付近の竿管内部に補強部材が配設されており、該補強部材はその前端位置がリール装着部本体に位置し、後端位置がグリップ領域に位置しているよう構成する。
【発明の効果】
【０００８】
第１の発明では、リール装着部本体の後端近傍位置の竿杆撓み剛性がリール装着部の直前部の竿杆撓み剛性よりも大きいのであり、このことは、撓みを予定しているリール装着部の前側領域の竿杆の最も後端位置の竿杆の撓み剛性よりも、リール装着部本体の後端近傍位置の竿杆撓み剛性を向上させている、即ち、撓みを予定している領域よりも高剛性になるように補強していることを意味する。しかも、その周辺位置の竿杆撓み剛性よりも大きいのであり、リール装着部本体の後端近傍が最も強く補強されている。従って、強い引きの獲物の場合でもこのリール装着部本体の後端位置で折曲状（への字状）に撓むことが防止でき、フッキング操作やランディング操作の操作性が向上する。更には、グリップ領域において、竿杆の剛性は後方に向かって低減しているので、既述のパーミング把持状態で釣竿操作をする場合に、釣竿後端部（グリップ領域後端部）上面を腕の下側に当てたり、後端面を腹に宛がったりして操作する場合は、把持部を基点にしてリール装着部から前側領域の竿杆のみならず、後側領域（グリップ領域）の竿杆も撓み、全長に亘った釣竿撓みが生じる。
【０００９】
即ち、把持している部位と釣竿後端との間（グリップ領域）が撓むことにより、釣竿後端部を腕の下側に当てたり、腹に宛がったりして操作する場合に、負荷がリール装着部の前側領域のみならずグリップ領域の撓みによっても吸収され、釣人への負担が少なくなる。また、釣糸もより細いものが使用可能となる。更には、釣竿の全長が撓むので、従来のように、リール装着部直前部の竿杆の撓み曲率が大きくなることが防止でき、曲率が緩やかになり、その分、釣竿強度が向上する。また、一方の手でリール装着部を把持し、他方の手で釣竿後端部を握ってキャスティングすると、釣竿全長の撓みを利用したキャスティング操作となり、仕掛けの飛距離が伸びると共に、投擲の正確さが向上する。即ち、キャスティング性能が向上する。
【００１０】
第２の発明では、第１発明のリール装着部本体の後端近傍位置の竿杆撓み剛性向上に加えて、上記縮径部の撓み剛性を付加するため、本来撓みを予定していないリール装着部本体後端近くの折曲状の撓みを効果的に防止しつつ応力集中を低減できる。
第３の発明では、第１発明のリール装着部本体の後端近傍位置の竿杆撓み剛性向上に加えて、上記リール装着部本体の円錐状後端面を有して後端部肉厚が後方に向かって漸減しているため、リール装着部本体後端部の撓み剛性を漸減させているため、この領域を把持した操作では、リール装着部本体後端近くの撓み性を急変させない。従って、リール装着部の前側領域と、後側であるグリップ領域との撓みの滑らかな連続性を担保する。また、グリップ部材の先端部を上記円錐状後端面部に挿入できるため、グリップ部材が不用意に外れ難い。
【００１１】
第４の発明では、第１発明のリール装着部本体の後端近傍位置の竿杆撓み剛性向上に加えて、上記の中間部材を介在させ、リール装着部本体の後端部近くの撓み剛性変化を緩和させているため、リール装着部本体後端近くの折曲状撓みを効果的に防止しつつ応力集中を低減できる。
第５の発明では、第１発明のリール装着部本体の後端近傍位置の竿杆撓み剛性向上に加えて、上記の境界外周部に環状の金属製接続部材を設けているため、リール装着部本体後端近くの折曲状撓みを効果的に防止できる他、環状金属部材のため、装飾的効果が向上する。
【００１２】
第６の発明では、第１発明のリール装着部本体の後端近傍位置の竿杆撓み剛性向上に加えて、上記補強部材のために、更にリール装着部本体の後端近傍位置の竿杆撓み剛性が向上し、リール装着部本体後端近くの折曲状撓みが効果的に防止される。
【発明を実施するための最良の形態】
【００１３】
以下、本発明を添付図面に示す実施形態例に基づき、更に詳細に説明する。図１（ａ）は本発明に係る釣竿としてのルアー竿の要部の部分断面側面図であり、（ｂ）は（ａ）の竿杆の径方向拡大断面図である。エポキシ樹脂等の合成樹脂をマトリックスとし、炭素繊維等の強化繊維で強化した繊維強化樹脂製竿杆１０は、硬質の合成樹脂（例えば、ＡＢＳ樹脂、ポリアミド（ＰＡ）、ポリスチレン（ＰＳ）、ポリプロピレン（ＰＰ）、ポリカーボネート（ＰＣ））製や金属製や木製の管状のリール装着部本体１２を前後方向に挿通して、互いに接着固定されている。このリール装着部本体の後方領域はグリップ領域Ｇであり、前記竿杆はこのグリップ領域のほぼ後端にまで至っている。グリップ領域Ｇには、コルクやＥＶＡ等の発泡性樹脂によって中間グリップＧ１、後部グリップＧ２を設けている。
【００１４】
前記リール装着部本体の上側後部には固定フードＦ２が形成されている。一方、前部にはナット部材１４が螺合されており、このナット部材の後端部には移動フードＦ１が形成されている。このナット部材１４の表面にはグリップ部材が設けられており、前部グリップともなる。なお、固定フードの径方向反対側付近にはトリガーＴが形成されており、リールは両軸受型リールが使用されるが、トリガーが無くてスピニングリールを使用するタイプの竿でもよい。また、固定フードが前側、移動フードが後側の場合もある。
【００１５】
上記リール装着部とグリップ領域とを併せたハンドル領域における竿杆１０の縦断面図である（ｂ）を参照すると、リール装着部の前方領域から竿杆後端にまで至っている竿杆本体層Ｌ１の上に、第１補強層Ｌ２と第２補強層Ｌ３とが設けれらている。図２を参照すると、強化繊維が円周方向に指向した裏打ち層Ｐ１Ｂと、強化繊維が長手方向に指向した表層Ｐ１Ａとを重ね合わせた略矩形状のプリプレグＰ１を芯金に巻回した後、強化繊維が円周方向に指向した裏打ち層Ｐ２Ｂと、強化繊維が長手方向に指向した表層Ｐ２Ａとを重ね合わせた略矩形状のプリプレグＰ２（実態はプリプレグＰ１と同じである）を巻回する。こうして前記本体層Ｌ１に対応する本体素材層を形成する。
【００１６】
この本体素材層の後方部の上に、三角形状のプリプレグＰ３を巻回する。これも、強化繊維が円周方向に指向した裏打ち層Ｐ３Ｂと、強化繊維が長手方向に指向した表層Ｐ３Ａとを重ね合わせて第１補強層Ｌ２に対応する第１補強素材層を形成する。更に、この上に、台形状のプリプレグＰ４を巻回して第２補強層Ｌ３に対応する第２補強素材層を形成する。プリプレグＰ４は強化繊維が円周方向に指向した裏打ち層Ｐ４Ｂと、強化繊維が長手方向に指向した表層Ｐ４Ａとを重ね合わせている。こうして各プリプレグを巻回した素材を、常法に従って加圧加熱処理して竿杆を成形する。
【００１７】
以上のプリプレグの内、竿杆の撓み剛性に実質的に寄与しない各裏打ち層は別とし、表層の各強化繊維（炭素繊維）の縦弾性率を例示する。プリプレグＰ１Ａから順次外側に向かって３５０００ｋｇｆ／ｍｍ２（３４３０００Ｎ／ｍｍ２）、３５０００ｋｇｆ／ｍｍ２（３４３０００Ｎ／ｍｍ２）、４６０００ｋｇｆ／ｍｍ２（４５０８００Ｎ／ｍｍ２）、２６０００ｋｇｆ／ｍｍ２（２５４８００Ｎ／ｍｍ２）である。また、プリプレグＰ３の三角形の頂点部Ｐ３Ｔはリール装着部本体１２の後端位置近傍、即ち、グリップ領域Ｇの前端位置近傍に位置させている。従って、図１の（ｂ）に示すように、第１補強層Ｌ２はリール装着部本体１２の後端位置近傍から、前方に行くに従って薄肉となる。また、後方に行くに従って薄肉となる。更には、プリプレグＰ３の三角形形状はグリップ領域側が長く、リール装着部側は短い。
【００１８】
上記の構成によって、リール装着部本体１２の後端位置近傍が最も大きな撓み剛性になるように補強されている。このため、リール装着部本体１２の後端位置前後を把持するパーミング状態においてフッキング等の操作を行っても、把持部位は殆ど撓まず、操作の遅れを防止でき、快適な操作性が確保できる。また、この例ではリール装着部本体１２の後端部には竿杆１０の外周に当接するか対面するように環状の段差縮径部１２Ａが後方に向かって適宜長さ延伸している（第２発明）ため、更に把持部位は折曲状には撓み難い。更には、グリップ領域Ｇにおいては、後方程撓み剛性が低下するため、釣竿後端を腹に宛がったりして釣竿操作を行った場合、リール装着部本体１２の後端位置近傍を基点としてこのグリップ領域Ｇも滑らかに撓む。従って、釣竿全体がリール装着部本体１２の後端位置近傍を基点として前後に撓み、釣竿全体が滑らかに湾曲する。
【００１９】
図３は、本発明に係る釣竿の要部の第２形態例を示す。図１の例と主に異なるところを説明する。竿杆１０は、リール装着部本体後端近くにおいて前側領域１０Ａを厚肉化させた後方領域の厚肉領域１０Ｂとしている。段差状に厚肉化しているのは、リール装着部本体にその後端面の中心寄り部を窪ませた窪み段差部を設け、この窪み段差部に収まる位置から後方である。この厚肉領域１０Ｂは、相対的に薄肉の竿杆１０Ａの軸長方向繊維と同じ（程度の）弾性率の軸長方向繊維を主に使用して厚肉化しており、前側領域１０Ａよりも相当に撓み剛性が向上している。従って、リール装着部本体１２の後端面と中間グリップＧ１前端面との境界における釣竿の撓みが防止でき、竿杆１０への応力集中も防止できる。なお、厚肉領域１０Ｂの撓み剛性が、所定グリップ領域において後方に向かって低減していることは同じである。明示しなくても以下の各形態例において同様である。
【００２０】
図４は、本発明に係る釣竿の要部の第３形態例（第３発明）を示す。図１の例と主に異なるところを説明する。リール装着部本体後端面１２Ｓは、中心部ほど前方に位置するように傾斜した円錐状に形成されていると共に、リール装着部本体後端部は後方に向かって漸次薄肉化している故、この領域を把持した操作では、リール装着部本体後端近くの撓み性を折曲状に急変させない。従って、リール装着部の前側領域と、後側であるグリップ領域との撓みの滑らかな連続性を担保する。
【００２１】
図５は、本発明に係る釣竿の要部の第４形態例（第４発明）を示す。図１の例と主に異なるところを説明する。リール装着部本体と中間グリップＧ１との間に、各端部に設けた窪み段差部１２Ｋに嵌まり込む形態の環状の中間部材１４を介在させ、その内周を竿杆１０と接着固定している。該中間部材はリール装着部本体よりも軟質であって、中間グリップよりも硬質な材料（合成樹脂）で形成する。これにより、リール装着部本体の後端部近くの撓み剛性の急変化を緩和させ、滑らかな撓みの連続性を担保し、応力集中も防止できる。
【００２２】
図６は、本発明に係る釣竿の要部の第５形態例（第５発明）を示す。図１の例と主に異なるところを説明する。リール装着部本体１２の後端面と、中間グリップＧ１の前端面との境界外周部に、リール装着部本体と中間グリップとに亘って環状の金属製接続部材１６を配設し、接着固定している。このため、このリール装着部本体後端近くの折曲状撓みを効果的に防止できる他、金属製部材故、装飾効果が高まる。
【００２３】
図７は、本発明に係る釣竿の要部の第６形態例（第６発明）を示す。管状の竿杆、即ち、竿管１０の内部であって、リール装着部本体１２の後端付近に補強部材１８を配設している。その前端位置はリール装着部本体の領域に位置しており、後端位置は中間グリップＧ１の領域に位置している。従って、リール装着部本体後端近くの折曲状撓みが効果的に防止できる。この補強部材は、上記中間部材１４と同様な硬さが好ましい。これによってリール装着部本体後端部における竿管１０の応力集中も防止可能である。
【００２４】
撓みをさせる中間グリップＧ１（グリップ領域）側端部における応力集中を効果的に防止するには、第７形態例（第６発明）を示す図８のように、補強部材１８’の肉厚をその端部に向かって漸減させるとよい。応力集中防止のためでは、リール装着部本体側端部についても漸減させる方が好ましい。
【産業上の利用可能性】
【００２５】
本発明は、ルアー竿、フライ竿、船竿に利用できる。
【図面の簡単な説明】
【００２６】
【図１】図１は本発明に係る釣竿としてのルアー竿の要部の部分断面側面図である。
【図２】図２は図１の竿杆の成形説明図である。
【図３】図３は本発明に係る第２形態例の要部図である。
【図４】図４は本発明に係る第３形態例の要部図である。
【図５】図５は本発明に係る第４形態例の要部図である。
【図６】図６は本発明に係る第５形態例の要部図である。
【図７】図７は本発明に係る第６形態例の要部図である。
【図８】図８は本発明に係る第７形態例の要部図である。
【符号の説明】
【００２７】
１０                          竿杆
１２                          リール装着部本体
Ｆ１                          移動フード
Ｆ２                          固定フード
Ｇ                            グリップ領域
【図１】
2007089468.tif 000003
【図２】
2007089468.tif 000004
【図３】
2007089468.tif 000005
【図４】
2007089468.tif 000006
【図５】
2007089468.tif 000007
【図６】
2007089468.tif 000008
【図７】
2007089468.tif 000009
【図８】
2007089468.tif 000010